(57)【要約】【課題】、除雪作業のみならず、除雪以外の対地作業にも使用可能なものであり、かつ、安価に得られる歩行型作業機を提供する。【解決手段】走行機体の前方に設けられた作業部７は、走行機体に支持された除雪用ブレード本体８と、除雪用ブレード本体８に脱着可能なスクレーパ９と、除雪用ブレード本体８に脱着可能な対地作業装置１０と、を有している。除雪用ブレード本体８の下端部に、スクレーパ９が取付けられる取付け部１３が設けられている。対地作業装置１０に、除雪用ブレード本体８の取付け部１３に連結される連結部２３が設けられている。【選択図】図３
2019052470.tif 000002
【特許請求の範囲】
【請求項１】
走行機体から後方向きに延出された操縦ハンドルと、
前記走行機体の前方に設けられた作業部と、が備えられ、
前記作業部は、前記走行機体に支持された除雪用ブレード本体と、前記除雪用ブレード本体に脱着可能なスクレーパと、前記除雪用ブレード本体に脱着可能な対地作業装置と、を有し、
前記除雪用ブレード本体の下端部に、前記スクレーパが取付けられる取付け部が設けられ、
前記対地作業装置に、前記取付け部に連結される連結部が設けられている歩行型作業機。
【請求項２】
前記対地作業装置は、地面に清掃作用する回転ブラシを有する請求項１に記載の歩行型作業機。
【請求項３】
前記対地作業装置は、接地によって回転されて前記回転ブラシを回転させる接地輪体を有する請求項２に記載の歩行型作業機。
【請求項４】
前記走行機体から前向きに延出され、延出端部で前記除雪用ブレード本体を支持する支持アームが備えられ、
前記操縦ハンドルと前記支持アームとは、前記走行機体に上下揺動可能に支持され、かつ、背反的に上下揺動するように連動連結されており、
前記支持アームの下降限界を変更可能に設定する下限設定機構が備えられている請求項１〜３のいずれか一項に記載の歩行型作業機。
【発明の詳細な説明】
【技術分野】
【０００１】
本発明は、走行機体から後方向きに延出された操縦ハンドルと、前記走行機体の前方に設けられた作業部と、が備えられた歩行型作業機に関する。
【背景技術】
【０００２】
上記した歩行型作業機として、作業部が除雪用ブレード本体を有し、除雪作業を可能されたものがある。この種の歩行型作業機としては、例えば特許文献１に示される歩行型ブレード除雪機がある。すなわち、走行機体の前方にブレード部が配置されている。ブレード部は、ドーザブレード部及びスクレーパ部を有し、雪をスクレーパ部によってドーザブレード部へすくい上げるように構成されている。
【先行技術文献】
【特許文献】
【０００３】
【特許文献１】特開２０１７−１１５４４３号公報
【発明の概要】
【発明が解決しようとする課題】
【０００４】
従来、作業部が除雪用ブレード本体を有した歩行型作業機にあっては、降雪時期だけに使用され、降雪時期以外の時期には、格納されたままになっている。
【０００５】
本発明は、除雪作業のみならず、除雪以外の対地作業にも使用可能であり、かつ、安価に得られる歩行型作業機を提供する。
【課題を解決するための手段】
【０００６】
本発明による歩行型作業機は、
走行機体から後方向きに延出された操縦ハンドルと、
前記走行機体の前方に設けられた作業部と、が備えられ、
前記作業部は、前記走行機体に支持された除雪用ブレード本体と、前記除雪用ブレード本体に脱着可能なスクレーパと、前記除雪用ブレード本体に脱着可能な対地作業装置と、を有し、
前記除雪用ブレード本体の下端部に、前記スクレーパが取付けられる取付け部が設けられ、
前記対地作業装置に、前記取付け部に連結される連結部が設けられている。
【０００７】
本構成によると、除雪用ブレード本体にスクレーパを取り付けることにより、作業部が除雪用になる。除雪用ブレード本体にスクレーパに代えて対地作業装置を連結することにより、作業部が除雪用以外の対地作業用になる。
【０００８】
除雪用ブレード本体におけるスクレーパ取り付け用の取付け部を対地作業装置の連結用に活用しているので、除雪用ブレード本体に対地作業装置を支持させる連結構造を簡素化できる。
【０００９】
従って、除雪作業に使用できるのみならず、除雪作業以外の対地作業にも使用できて有益である。対地作業装置を除雪用ブレード本体に簡素な連結構造で支持させ得るので安価に得ることができる。
【００１０】
本発明においては、前記対地作業装置は、地面に清掃作用する回転ブラシを有すると好適である。
【００１１】
本構成によると、回転ブラシを回転させるだけの簡素な構造で対地作業装置を清掃用にできる。
【００１２】
本発明においては、前記対地作業装置は、接地によって回転されて前記回転ブラシを回転させる接地輪体を有すると好適である。
【００１３】
本構成によると、接地輪体の接地による回転動力によって回転ブラシを駆動できるので、モータなどを装備するのに比して、軽量かつ安価に得られる。
【００１４】
本発明においては、前記走行機体から前向きに延出され、延出端部で前記除雪用ブレード本体を支持する支持アームが備えられ、前記操縦ハンドルと前記支持アームとは、前記走行機体に上下揺動可能に支持され、かつ、背反的に上下揺動するように連動連結されており、前記支持アームの下降限界を変更可能に設定する下限設定機構が備えられていると好適である。
【００１５】
本構成によると、除雪作業のとき、支持アームの下降限界が除雪作業に適応した下降限界になるように下限設定機構によって設定調節しておく。対地作業装置を連結したとき、支持アームの下降限界が対地作業装置に適応した下降限界になるように下限設定機構によって設定調節しておく。すると、旋回時など、支持アームを上昇させて除雪用ブレード本体や対地作業装置を非作業高さに持ち上げた後、操縦ハンドルを上げ操作して除雪用ブレード本体や対地作業装置を地面に向けて下げ戻すとき、支持アームを下げ過ぎてスクレーパや対地作業装置を変形や破損させてしまうことを防止できる。また、地面の凹凸が著しい場合、除雪用ブレードを下げ過ぎないように支持アームの下限設定をしておき、スクレーパなどが隆起部に突っ込むことを防止できる。
【図面の簡単な説明】
【００１６】
【図１】除雪作業形態での歩行型作業機の全体を示す左側面図である。
【図２】除雪作業形態での作業部を示す平面図である。
【図３】分解状態の作業部を示す斜視図である。
【図４】清掃作業形態での作業部を示す平面図である。
【図５】清掃作業形態での作業部を示す正面図である。
【図６】清掃作業形態での作業部を示す左側面図である。
【図７】下限設定機構及び姿勢切換え部を示す側面図である。
【発明を実施するための形態】
【００１７】
以下、本発明に係る歩行型作業機の実施の形態を図面に基づいて説明する。
図１は、除雪作業形態での歩行型作業機の全体を示す左側面図である。図１に示す［Ｆ］の方向が走行機体１の前方向、［Ｂ］の方向が走行機体１の後方向、紙面表側の方向が走行機体１の左方向、紙面裏側の方向が走行機体１の右方向と定義する。
【００１８】
図１に示すように、歩行型作業機は、左右一対のクローラ走行装置２が装備された走行機体１を備えている。左右のクローラ走行装置２は、走行機体１の両横外側に位置している。走行機体１から左右一対の操縦ハンドル３が後方向きに延出されている。走行機体１に、電動モータ４及びバッテリー５が設けられている。電動モータ４及びバッテリー５は、カバー６によって上側から覆われている。走行機体１は、電動モータ４がバッテリー５の電力によって駆動され、左右のクローラ走行装置２が電動モータ４の動力によって駆動されることによって自走する。走行機体１の前方に作業部７が設けられている。
【００１９】
〔作業部７について〕
図３に示すように、作業部７は、除雪用ブレード本体８と、スクレーパ９と、対地作業装置１０とを有している。
【００２０】
図１，２に示すように、除雪用ブレード本体８は、走行機体１から前向きに延出された左右一対の支持アーム１１の延出端部に支持され、左右一対の支持アーム１１を介して走行機体１に支持されている。除雪用ブレード本体８の横幅方向での両端部に側板部１２が設けられている。図３に示すように、除雪用ブレード本体８の下端部の４箇所に、取付け部としての取付け穴１３が形成されている。４つの取付け穴１３は、除雪用ブレード本体８の横幅方向に間隔を空けて並んでいる。本実施形態では、４つの取付け穴１３が備えられているが、３つ以下、５つ以上の取付け穴１３を採用してもよい。
【００２１】
図１に示すように、左右一対の支持アーム１１と左右一対の操縦ハンドル３とは、走行機体１の前後方向に延びる一連の構造体によって構成されている。一連の構造体の走行機体前後方向での中間部が枢支軸１４を介して走行機体１に支持されている。左右一対の支持アーム１１と左右一対の操縦ハンドル３とは、枢支軸１４を揺動支点にして上下揺動可能な状態で走行機体１に支持され、かつ、背反的に上下揺動する状態で連動連結されている。
【００２２】
操縦ハンドル３を上げ操作することにより、支持アーム１１が下降揺動し、作業部７の対地高さを低くなる側に調節できる。操縦ハンドル３を下げ操作することにより、支持アーム１１が上昇揺動し、作業部７の対地高さを高くなる側に調節できる。また、操縦ハンドル３を下げ操作することにより、作業部７を搬送用の対地高さに持ち上げることができる。
【００２３】
図１，７に示すように、支持アーム１１と走行機体１とにわたり下限設定機構１５が設けられている。図７に示すように、下限設定機構１５は、下限設定ネジ軸１６及び固定部材１９を備えている。下限設定ネジ軸１６は、固定部材１９に支持されている。固定部材１９は、走行機体１に固定されている。下限設定ネジ軸１６は、固定部材１９を介して走行機体１に支持されている。支持アーム１１が下降揺動して支持アーム１１の被支持部１１ａが下限設定ネジ軸１６の頭部１６ａに当接すると、支持アーム１１が下限設定ネジ軸１６によって受け止め支持されて下降限界に位置する。下限設定ネジ軸１６を回転操作することにより、下限設定ネジ軸１６が固定部材１９に対して昇降し、下限設定ネジ軸１６の走行機体１に対する取付位置が上下方向に変化し、支持アーム１１の下降限界が変化する。すなわち、支持アーム１１の下降限界が下限設定機構１５によって設定される。そして、下限設定ネジ軸１６が回転操作されることにより、下限設定機構１５によって設定される支持アーム１１の下降限界が変更される。
【００２４】
図１，２，７に示すように、除雪用ブレード本体８は、左右一対の支持アーム１１の先端部に姿勢切換え部３０を介して支持されている。すなわち、除雪用ブレード本体８は、姿勢切換え部３０が有する枢支軸３１を揺動支点にして支持アーム１１に対して重力で下降揺動した排出姿勢と、枢支軸３１を揺動支点にして支持アーム１１に対して上昇揺動したすくい姿勢とに姿勢変更可能になっている。姿勢切換え部３０には、除雪用ブレード本体８をすくい姿勢に保持するロック状態と、除雪用ブレード本体８の排出姿勢への揺動を許容するロック解除状態とに切換え可能なロック部３２が備えられている。ロック部３２は、左右一対の支持アーム１１の先端部を連結する連結部材３３に支持されている。ロック部３２と、操縦ハンドル３に支持された切換えレバー３４（図１参照）とが操作ケーブル３５を介して連動連結されている。ロック部３２は、切換えレバー３４の握り操作によってロック解除状態に切り換え操作され、切換えレバー３４の開放操作によってロック状態に切り換え操作される。除雪用ブレード本体８が排出姿勢になっている場合、操縦ハンドル３を持ち上げ操作し、スクレーパ９の前端部を地面に押し付けることにより、除雪用ブレード本体８を支持アーム１１に対して上昇揺動させてすくい姿勢に姿勢切換えできる。
【００２５】
図３に示すように、スクレーパ９の前後方向での一端部に第１エッジ部９ａが形成され、スクレーパ９の前後方向での他端部に第２エッジ部９ｂが形成されている。スクレーパ９のうちの第２エッジ部９ｂ側の部位の４箇所に第１連結穴１７が形成されている。スクレーパ９のうちの第１エッジ部９１側の部位の４箇所に第２連結穴１８が形成されている。第１連結穴１７及び第２連結穴１８は、スクレーパ９の横幅方向に間隔を空けて並んでいる。本実施形態では、４つの第１連結穴１７、及び、４つの第２連結穴１８が備えらえているが、除雪用ブレード本体８の取付け穴１３の数に対応させて、３つ以下、あるいは、５つ以上の連結穴を採用してもよい。
【００２６】
図２に示すように、スクレーパ９は、第１エッジ部９ａを使用する場合、第１連結穴１７と除雪用ブレード本体８の取付け穴１３とに連結ボルトを装着する。すなわち、スクレーパ９を、第１エッジ部９ａが前向きになる取付け姿勢で除雪用ブレード本体８の取付け穴１３に支持する。
【００２７】
スクレーパ９は、第２エッジ部９ｂを使用する場合、第２連結穴１８と除雪用ブレード本体８の取付け穴１３とに連結ボルトを装着する。すなわち、スクレーパ９を、第２エッジ部９ｂが前向きになる取付け姿勢で除雪用ブレード本体８の取付け穴１３に支持する。
【００２８】
図３に示すように、対地作業装置１０は、横幅方向に２つに分割されている。すなわち、対地作業装置１０は、２つの分割作業装置２０を有している。
【００２９】
分割作業装置２０は、メインフレーム２１を備えている。メインフレーム２１の両横端部から連結ブラケット２２が後方向きに突設されている。各連結ブラケット２２に連結部としての連結穴２３が形成されている。
【００３０】
図３，４，５に示すように、メインフレーム２１の下側に、３つの回転ブラシ２４が支持されている。３つの回転ブラシ２４は、分割作業装置２０の横幅方向に間隔を空けて並んでいる。各回転ブラシ２４は、回転支軸２５を介してメインフレーム２１に支持され、回転支軸２５の上下方向に延びる軸芯を回転中心にして回転可能に支持されている。本実形態では、３つの回転ブラシ２４が備えられているが、２つ以下、あるいは、４つ以上の回転ブラシ２４を備える形態を採用してもよい。
【００３１】
メインフレーム２１の上面側とメインフレーム２１の横外側とにわたって伝動ケース２６が設けられている。伝動ケース２６のうち、メインフレーム２１から横外側に突出している部位に接地輪体２７が回転支軸２８を介して支持されている。接地輪体２７は、回転支軸２８の横向き軸芯を回転中心にして回転可能に支持されている。伝動ケース２６には、回転支軸２８と回転支軸２５とを連動連結する連動機構（図示せず）が内装されている。接地輪体２７の回転動力が伝動ケース２６の連動機構によって３つの回転ブラシ２４に伝達され、３つの回転ブラシ２４が接地輪体２７の動力によって回転駆動される。
【００３２】
図１，２に示すように、スクレーパ９を第１取付け姿勢で除雪用ブレード本体８に支持する。あるいは、スクレーパ９を第２取付け姿勢で除雪用ブレード本体８に支持する。すると、作業部７が除雪作業形態になり、除雪作業を行なえる。
【００３３】
すなわち、除雪用ブレード本体８をロック部３２によってすくい姿勢に保持しておき、操縦ハンドル３を昇降操作して作業部７の対地高さを除雪目標高さに調節をする。作業部７が除雪目標高さになると、クローラ走行装置２を駆動して走行機体１を前進移動させ、作業部７を地面上の雪に押し付ける。すると、雪がスクレーパ９によって除雪用ブレード本体８にすくい上げられ、雪が作業部７にすくいとられる。雪がすくいとられると、操縦ハンドル３を下げ操作することにより、作業部７が持ち上がり、すくいとられた雪を作業部７に保持させて捨て場所へ搬送できる。捨て場所へ搬送すると、切換えレバー３４を握り操作する。すると、ロック部３２がロック解除状態に切り換わって、作業部７及び雪の荷重によって作業部７が排出姿勢に切り換わり、作業部７から雪が落下する。
【００３４】
地面に凹凸がある場合、支持アーム１１の下限が地面の隆起部に対応した対地高さになるように下限設定機構１５を調節しておく。すると、支持アーム１１の下げ過ぎが下限設定機構１５によって防止され、スクレーパ９などの破損を回避できる。
【００３５】
図４，５，６に示すように、対地作業装置１０をスクレーパ９に代えて除雪用ブレード本体８に支持する。すなわち、２つの分割作業装置２０のうちの一方の分割作業装置２０を、接地輪体２７が除雪用ブレード本体８の左横外側に位置する取付姿勢で、除雪用ブレード本体８の４つの取付け穴１３のうちの左側の２つの取付け穴１３に連結する。２つの分割作業装置２０のうちの他方の分割作業装置２０を、接地輪体２７が除雪用ブレード本体８の右横外側に位置する取付姿勢で、除雪用ブレード本体８の４つの取付け穴１３のうちの右側の２つの取付け穴１３に連結する。すると、作業部７は、清掃作業形態になり、地面などの清掃作業を行なえる。
【００３６】
すなわち、回転ブラシ２４などが除雪用ブレード本体８より下方に位置するので、下限設定機構１５により、支持アーム１１の下降限界を除雪作業のときの下降限界よりも高く設定する。すると、支持アーム１１を下げ過ぎて、回転ブラシ２４及び接地輪体２７などを地面に強く押し付け過ぎることを防止できる。除雪用ブレード本体８をロック部３２によってすくい姿勢に保持しておき、操縦ハンドル３を昇降操作し、作業部７の高さを清掃作業高さに調節する。作業部７が清掃作業高さに位置すると、クローラ走行装置２を駆動して走行機体１を前進移動させる。すると、左右の接地輪体２７が接地しつつ移動して回転し、左の分割作業装置２０の回転ブラシ２４が左の接地輪体２７の動力によって平面視で時計まわりの回転方向Ｒ（図４参照）に回転駆動されて地面に清掃作用する。右の分割作業装置２０の回転ブラシ２４が右の接地輪体２７の動力によって平面視で反時計まわりの回転方向Ｌ（図４参照）に回転駆動されて地面に清掃作用する。各回転ブラシ２４によって掃かれたゴミがメインフレーム２１の下方を通して除雪用ブレード本体８に送り込まれて除雪用ブレード本体８に回収される。
【００３７】
〔別実施形態〕
（１）上記した実施形態では、対地作業装置１０が回転ブラシ２４を有するよう構成された例を示したが、散水ノズルを有した散水作業形態など、各種の作業形態を備えるよう構成してもよい。
【００３８】
（２）上記した実施形態では、回転ブラシ２４の動力源として接地輪体２７が採用された例を示したが、接地輪体２７に代えて電動モータを採用してもよい。
【００３９】
（３）上記した実施形態では、対地作業装置１０が２つの分割作業装置２０を有する例を示したが、分割されない単一の装置に構成して実施してもよい。
【００４０】
（４）上記して実施形態では、下限設定機構１５が備えられた例を示したが、下限設定機構１５を備えないで実施してもよい。
【産業上の利用可能性】
【００４１】
本発明は、電動モータに代えて、エンジンを備えた歩行型作業機に適用できる。
【符号の説明】
【００４２】
１        走行機体
３        操縦ハンドル
７        作業部
８        除雪用ブレード本体
９        スクレーパ
１０      対地作業装置
１１      支持アーム
１３      取付け部（取付け穴）
１５      下限設定機構
２４      回転ブラシ
２７      接地輪体
【図１】
2019052470.tif 000003
【図２】
2019052470.tif 000004
【図３】
2019052470.tif 000005
【図４】
2019052470.tif 000006
【図５】
2019052470.tif 000007
【図６】
2019052470.tif 000008
【図７】
2019052470.tif 000009